(57)【要約】【課題】ネジの出し入れが迅速に且つ安全に行え、それによってネジ締め及びネジ外し作業時間を短縮できるようにすることである。【解決手段】縦向きの握り部（５）の上に横向きの駆動部（６）を有し、駆動部（６）の先に穴あけ又はネジ締め用の工具取付部（７）を有する電動ドライバーにおいて、電動ドライバーの表面又は内部に磁石を有し、その磁石で握り部（５）と工具取付部（７）以外の表面にネジを吸着させることを特徴とする電動ドライバー。【選択図】      図１
2004306221.tif 000002
【特許請求の範囲】
【請求項１】
縦向きの握り部（５）の上に横向きの駆動部（６）を有し、駆動部（６）の先に穴あけ又はネジ締め用の工具取付部（７）を有する電動ドライバーにおいて、
電動ドライバーの表面又は内部に磁石（４）を有し、その磁石（４）で握り部（５）と工具取付部（７）以外の表面にネジを吸着させることを特徴とする電動ドライバー。
【発明の詳細な説明】
【０００１】
【発明の属する技術分野】
本発明は、穴あけ、ネジ締め、ネジ切り、ネジ外しに使用することのできる電動ドライバーに関する。
【０００２】
【従来の技術】
電動ドライバーは、穴あけ、ネジ締め、ネジ切り、ネジ外しを高速に行えるものである。しかし、そのネジを収容しておく機能は、付けられていない。従って、電気工事の作業者は作業用上着のポケットや腰ベルトに付いた工具袋やケースにネジを入れておき、必要な時に取り出して電動ドライバーでネジ締めする仕方が従来一般的に行われている。
【０００３】
【発明が解決しようとする課題】
しかし、上着のポケット等からネジを取り出すには、腕を大きく動かさねばならないことから面倒であり、ネジ本数が増えれば、その分だけ作業時間がかかることになるし、ポケット等に手を入れた際にネジで指先を負傷することもある。しかも、作業箇所に視線を合わせていると、ポケット等に入ったネジは視野から外れることから、腕を動かしながら視線を作業箇所からポケット等に移すこともあり、このときには視線を作業箇所に再度合わせる作業も必要となるし、その作業が上向きの作業であれば首を上下に振るような動作を繰り返すことになり、肉体的に苦痛でもある。また、電気工事の場合、ネジ締め作業は、天井などのボードに穴あけしてからネジ締めするという具合に、穴あけ、ネジ締めが連続した作業となっている。この際には、電動ドライバーに穴あけ用の工具（キリ）とネジ締め用の工具（ビット）を順番に付け替える作業が必要となり、腰ベルトに付けたケースや工具袋からキリやビットを出し入れする手間も必要となる。さらに、照明器具を取り付ける場合等は、足場の上に載って作業しなければならないので、多少なりとも危険であり、できるだけ短時間で作業を終えたいという気持ちが作業者にはある。なお、ネジ外しの場合も同様のことが言える。
【０００４】
本発明はこのような実情を考慮して創作されたもので、その解決課題は、ネジの出し入れが迅速に且つ安全に行え、それによってネジ締め及びネジ外し作業時間を短縮できるようにすることである。
【０００５】
【課題を解決するための手段】
本発明は、縦向きの握り部の上に横向きの駆動部を有し、駆動部の先に穴あけ又はネジ締め用の工具取付部を有する電動ドライバーを前提とする。そして、電動ドライバーの表面又は内部に磁石を有し、その磁石で握り部と工具取付部以外の表面にネジを吸着させることを特徴とする。
【０００６】
ネジ吸着箇所を握り部と工具取付部以外としたのは、握り部にネジを吸着させると、握り部を握れなくなるし、工具取付部にネジを吸着させたのでは、工具取付部の回転に伴う遠心力でネジが落下することからである。握り部と工具取付部以外とは、電動ドライバーの形状に左右される。例えば、電動ドライバーが握り部、駆動部、工具取付部以外にバッテリーを有する形状であれば、駆動部とバッテリーが相当する。また、バッテリーの代わりに電気コードが付いている形状であれば、駆動部が相当する。さらに、電動ドライバーが握り部の前方に覆片を有し、覆片と握り部の間に指通し空間を形成する形状であれば、覆片も相当する。
【０００７】
ネジ以外には、穴あけやネジ締め工具を吸着できるものでも良い。工具を吸着できるようにすれば、穴あけからネジ締めまで作業中の工具交換も迅速にできるようになる。
【０００８】
【発明の実施の形態】
本発明の電動ドライバーの第一例は図１に示すように、ネジ締め用のビットや穴あけ用のキリ等の工具２を着脱可能に取り付けるもので、ピストル状（Ｔ字状或いは逆Ｌ字状）のドライバー本体１と、ドライバー本体１の下に着脱自在に取り付けるバッテリー３と、ドライバー本体１の表面に固定してある磁石４を、有する。
【０００９】
ドライバー本体１は、縦向きの握り部５の上に駆動部６を横向きに連続し、駆動部６の先端に工具取付部７（チャック）を回転可能に設けてある。駆動部６は、カバーケースの中にモーターが内蔵され（図示省略）、モーターの回転軸８に工具取付部７を固定してある。握り部５内にはバッテリー３から駆動部６内のモータを繋ぐ配線がされていて、握り部５の上側のスイッチ９を押すと、駆動部６がＯＮされ、工具２が回転（正転・逆転）し、スイッチ９を離すと工具２の回転が停止する。
【００１０】
磁石４は板状であって、円筒状をなす駆動部６の表面、より詳しく言えば側面に両面粘着テープで固定してある。磁石４の磁力は、電動ドライバーでの作業による振動が加わっても、ネジ或いは工具２が磁石４に付いた状態を維持できる程度とする。なお、ネジ締め等の作業をする際には、工具２の先端に視線を合わせることから、駆動部６の側面にネジ等が磁力で付いていれば、視界に入ることからネジを迅速につまめる。
【００１１】
電動ドライバーの第二例は図２に示すように、ドライバー本体１の形状に特徴があり、その形状を利用して磁石４を取り付けたものである。ドライバー本体１は、握り部５の前方に覆片１０を、駆動部６から握り部５の下部にかけて連続して設け、握り部５と覆片１０と駆動部６で囲まれる部分が指通し空間１１となる。そして、覆片１０の前面に板状の磁石４を両面粘着テープ１２によって貼り付けてある。
【００１２】
磁石４の取付箇所は、覆片１０と駆動部６の各表面（指通し空間１１に面する部分は除く）、バッテリー３の表面が挙げられる。駆動部６の表面に磁石４を設ける場合に、例えば磁石４がモータの回転に悪影響を与えるおそれがあると考えられるときには、駆動部６のカバーケースに磁力が内部に伝わらないものを採用するようにしておけばよい。また、駆動部６内にはモータ駆動用磁石が存在するので、モータ駆動用磁石をネジ吸着用に兼用して、駆動部６の表面にネジを吸い付けさせても良い。なお、本発明の電動ドライバーは、充電式に限らず、電気コードの付いているタイプでも良い。また、磁石４は、接着剤などで固定してもよい。
【００１３】
【発明の効果】
本発明は、電動ドライバーの表面（握り部と工具取付部以外）にネジを磁力で吸着させることができるので、腕を少し動かすだけでネジの取り出し及び取り外しが可能となり、ネジを作業着等から出し入れする手間が省け、ネジ締め及びネジ外しの作業時間が短縮する。しかも、作業時に電動ドライバーが視野に入ることから、その電動ドライバーに付いているネジをつまんだり、その逆に付けたりすることは簡単にでき、視線を殆ど動かさずにすむことになり、ネジ締め及びネジ外し作業の時間短縮効果が大きい。そして、上向きの作業である場合には、首を殆ど動かさずにすむことから肉体的にも楽であるし、足場の悪い箇所で作業する場合には作業時間の短縮によって安全性も高まる。また、ネジは電動ドライバーの表面に付いているので、ネジを単につまんで取り外せるようになり、従来のように上着のポケット等からネジを取り出すことが不要となり、指先を負傷せずにすむ。
【図面の簡単な説明】
【図１】本発明の電動ドライバーの第一例を示す正面図である。
【図２】本発明の電動ドライバーの第二例を示す正面図である。
【符号の説明】
４  磁石
５  握り部
６  駆動部
７  工具取付部
【図１】
2004306221.tif 000003
【図２】
2004306221.tif 000004